(57)【要約】【課題】  式典等の会場内で放映するための映像メッセージを、ネットワークを介して受け付け、会場に配信する映像メッセージ配信システムおよび映像メッセージ処理装置を提供する。【解決手段】  申込端末３から管理サーバ２に映像メッセージの配信を申し込むと、管理サーバ２が映像の一覧を申込端末３に送信する。申込端末３では、映像を選んで管理サーバ２に通知し、メッセージを入力して送信する。管理サーバ２では、配信申込をとりまとめて、会場端末４に配信データとして送信する。会場端末４では、会場側で直接受け付けた映像メッセージの申込を入力し、映像メッセージの放映場所や放映順序、放映時間をメッセージの発信者に応じて設定し、スクリーン２２３等で放映するための放映データを作成する。そして、会場内のスクリーン２２３やディスプレイに放映データを出力し、指定された時間に映像メッセージを放映する。【選択図】  図１
2005285049.tif 000002
【特許請求の範囲】
【請求項１】
メッセージに添付するための映像を記憶した管理サーバと、当該管理サーバとネットワークを介して接続され、前記映像を選択してメッセージを入力可能な申込端末と、前記管理サーバとネットワークを介して接続され、前記映像及びメッセージを表示可能な会場端末とからなる映像メッセージ配信システムであって、
前記管理サーバは、
映像を記憶したサーバ側映像記憶手段と、
前記申込端末からの申込に対応して前記映像の一覧を送信する映像一覧送信手段と、
前記申込端末から通知された映像及びメッセージと申込情報とを関連づけた配信データを記憶するサーバ側配信データ記憶手段とを備え、
前記申込端末は、
前記映像及びメッセージの配信を申込む申込情報を入力する入力手段と、
当該入力手段により入力された申込情報を前記管理サーバに送信する申込情報送信手段と、
前記管理サーバから受信した映像一覧から映像を選択する選択手段と、
当該選択手段により選択された映像とともに配信するメッセージを作成するメッセージ作成手段と、
当該メッセージ作成手段により作成されたメッセージを前記管理サーバに送信するメッセージ送信手段と、
前記選択手段により選択された映像を前記管理サーバに通知する映像通知手段とを備え、
前記会場端末は、
前記映像及びメッセージを表示するための表示手段と、
前記管理サーバから送信された配信データを記憶する会場側配信データ記憶手段と、
当該会場側配信データ記憶手段に記憶された配信データに基づき、前記表示手段に映像及びメッセージを表示させるための放映データを作成する放映データ作成手段と、
当該放映データ作成手段により作成された放映データに基づき、前記映像表示手段に映像及びメッセージを表示させる表示制御手段とを備えたことを特徴とする映像メッセージ配信システム。
【請求項２】
前記申込情報は、申込者の顔写真を前記映像及びメッセージとともに表示するか否かについての情報を含むことを特徴とする請求項１に記載の映像メッセージ配信システム。
【請求項３】
前記会場端末は、
前記管理サーバから送信された映像を記憶する会場側映像記憶手段を備え、
前記表示制御手段は、前記放映データにより特定される映像を当該会場側映像記憶手段から呼び出して前記映像表示手段に前記メッセージとともに表示させることを特徴とする請求項１又は２に記載の映像メッセージ配信システム。
【請求項４】
前記会場端末は、
前記会場側配信データ記憶手段に記憶された配信データを加工する配信データ加工手段を備え、
前記放映データ作成手段は、当該配信データ加工手段により加工された配信データに基づき前記映像表示手段に表示させる放映データを作成することを特徴とする請求項１乃至３のいずれかに記載の映像メッセージ配信システム。
【請求項５】
前記配信データ加工手段は、前記配信データの追加、編集、削除の少なくとも１つを実行することを特徴とする請求項４に記載の映像メッセージ配信システム。
【請求項６】
前記放映データは、放映されるメッセージ及び映像を特定する情報の他、放映されるメッセージ及び映像の放映時間、放映時刻、放映場所、放映順序のうちの少なくとも１つを含むことを特徴とする請求項１乃至５のいずれかに記載の映像メッセージ配信システム。
【請求項７】
前記会場端末は、
前記配信データを構成する個々のデータに重み付けを行なう重み付け手段を備え、
前記放映データ作成手段は、当該重み付け手段による重み付けに従って、前記放映時間又は放映順序を設定して前記放映データを作成することを特徴とする請求項６に記載の映像メッセージ配信システム。
【請求項８】
前記会場端末は、
前記放映データを出力する出力手段を備えたことを特徴とする請求項１乃至７のいずれかに記載の映像メッセージ配信システム。
【請求項９】
映像及びメッセージを表示するための表示手段と、
前記映像及びメッセージの配信を申込む申込情報を入力する入力手段と、
映像を記憶した映像記憶手段と、
当該映像記憶手段から映像を選択する選択手段と、
当該選択手段により選択された映像とともに配信するメッセージを作成するメッセージ作成手段と、
前記選択手段により選択された映像及び前記メッセージ作成手段により作成されたメッセージと前記申込情報とを関連づけた配信データを記憶する配信データ記憶手段と、
当該配信データ記憶手段に記憶された配信データに基づき、前記表示手段に映像及びメッセージを表示させるための放映データを作成する放映データ作成手段と、
当該放映データ作成手段により作成された放映データに基づき、前記映像表示手段に映像及びメッセージを表示させる表示制御手段とを備えたことを特徴とする映像メッセージ処理装置。
【請求項１０】
前記申込情報は、申込者の顔写真を前記映像及びメッセージとともに表示するか否かについての情報を含むことを特徴とする請求項９に記載の映像メッセージ処理装置。
【請求項１１】
前記配信データ記憶手段に記憶された配信データを加工する配信データ加工手段を備え、
前記放映データ作成手段は、当該配信データ加工手段により加工された配信データに基づき前記映像表示手段に表示させる放映データを作成することを特徴とする請求項９又は１０に記載の映像メッセージ処理装置。
【請求項１２】
前記配信データ加工手段は、前記配信データの追加、編集、削除の少なくとも１つを実行することを特徴とする請求項１１に記載の映像メッセージ処理装置。
【請求項１３】
前記放映データは、放映されるメッセージ及び映像を特定する情報の他、放映されるメッセージ及び映像の放映時間、放映時刻、放映場所、放映順序のうちの少なくとも１つを含むことを特徴とする請求項９乃至１２のいずれかに記載の映像メッセージ処理装置。
【請求項１４】
前記配信データを構成する個々のデータに重み付けを行なう重み付け手段を備え、
前記放映データ作成手段は、当該重み付け手段による重み付けに従って、前記放映時間又は放映順序を設定して前記放映データを作成することを特徴とする請求項１３に記載の映像メッセージ処理装置。
【請求項１５】
前記放映データを出力する出力手段を備えたことを特徴とする請求項９乃至１４のいずれかに記載の映像メッセージ処理装置。
【発明の詳細な説明】
【技術分野】
【０００１】
本発明は、映像メッセージ配信システム及び映像メッセージ処理装置に関するものである。
【背景技術】
【０００２】
一般に、葬儀や婚礼等の式典に参列がかなわない場合、心情を伝えるために会場に電報を送ることが行われている。このような電報は、郵便局や電話会社を通じて電話等を介して申し込まれ、依頼した電文の長さに応じて課金されるようになっている。基本的には、電文は文字のみであり、電話会社等が用意した台紙を付して会場に届けられる。
【０００３】
このような電報システムでは、電文を受け付けるオペレータや電報を発送する配達員が多く必要であり、電話受付による聞き間違いも発生する可能性があることから、インターネットを通じて電報を受け付け、会場で出力する方法も提案されている。
【０００４】
たとえば、特許文献１では、インターネットの端末機によりサーバにアクセスして入力フォームを端末機に取り込み、メッセージを入力してその入力データをインターネットにより故人の自宅や葬儀場に電送する方法が提案されている。
【０００５】
また、特許文献２では、電報発信者がサーバに接続して、サーバの持つリストの中からキーワードで電報受信者ごとのページにアクセスし、サーバが提供する文章・画像・音声などの祝祭用情報に追加・修正して電報受信者に向けたメッセージを完成・記録する。サーバでは、受信したメッセージを整理して会場等で出力する方法が記載されている。
【特許文献１】特開２００２−９２１９９号公報
【特許文献２】特開２００２−２４７３２８号公報
【発明の開示】
【発明が解決しようとする課題】
【０００６】
ところで、婚礼や葬儀の会場へ届けられた電報は、多数に上ることが多いため、受信者が適宜選んだ数通が、式次第中の電報披露の際に読み上げられるのが通例である。従って、参列者はほとんどの電報の発信者や電文を知ることができない。また、披露対象となった電報についても、発信者名を聞いただけでは参列者が発信者をすぐに思い浮かべることは難しい。最近では、会場内に表示用のディスプレイやスクリーンを備えていることが多いので、そこに電文を映し出すことも考えられているが、そもそも電文は文字のみが印刷された状態で読まれることを前提として作成されているので、発信者の顔写真等も含まれておらず、音声や画像、さらには動画映像のような多様な出力が可能なディスプレイになじまないことが多い。
【０００７】
本発明は上記問題を解決するためになされたものであり、式典等の会場内で放映するための映像メッセージを、ネットワークを介して受け付け、会場に配信する映像メッセージ配信システムおよび映像メッセージ処理装置を提供することを目的とする。
【課題を解決するための手段】
【０００８】
上記目的を達成するために、本発明の請求項１に記載の映像メッセージ配信システムは、メッセージに添付するための映像を記憶した管理サーバと、当該管理サーバとネットワークを介して接続され、前記映像を選択してメッセージを入力可能な申込端末と、前記管理サーバとネットワークを介して接続され、前記映像及びメッセージを表示可能な会場端末とからなる映像メッセージ配信システムであって、前記管理サーバは、映像を記憶したサーバ側映像記憶手段と、前記申込端末からの申込に対応して前記映像の一覧を送信する映像一覧送信手段と、前記申込端末から通知された映像及びメッセージと申込情報とを関連づけた配信データを記憶するサーバ側配信データ記憶手段とを備え、前記申込端末は、前記映像及びメッセージの配信を申込む申込情報を入力する入力手段と、当該入力手段により入力された申込情報を前記管理サーバに送信する申込情報送信手段と、前記管理サーバから受信した映像一覧から映像を選択する選択手段と、当該選択手段により選択された映像とともに配信するメッセージを作成するメッセージ作成手段と、当該メッセージ作成手段により作成されたメッセージを前記管理サーバに送信するメッセージ送信手段と、前記選択手段により選択された映像を前記管理サーバに通知する映像通知手段とを備え、前記会場端末は、前記映像及びメッセージを表示するための表示手段と、前記管理サーバから送信された配信データを記憶する会場側配信データ記憶手段と、当該会場側配信データ記憶手段に記憶された配信データに基づき、前記表示手段に映像及びメッセージを表示させるための放映データを作成する放映データ作成手段と、当該放映データ作成手段により作成された放映データに基づき、前記映像表示手段に映像及びメッセージを表示させる表示制御手段とを備えたことを特徴とする。
【０００９】
また、本発明の請求項２に記載の映像メッセージ配信システムは、請求項１に記載の発明の構成に加え、  前記申込情報は、申込者の顔写真を前記映像及びメッセージとともに表示するか否かについての情報を含むことを特徴とする。
【００１０】
また、本発明の請求項３に記載の映像メッセージ配信システムは、請求項１又は２に記載の発明の構成に加え、前記会場端末が、前記管理サーバから送信された映像を記憶する会場側映像記憶手段を備え、前記表示制御手段は、前記放映データにより特定される映像を当該会場側映像記憶手段から呼び出して前記映像表示手段に前記メッセージとともに表示させることを特徴とする。
【００１１】
また、本発明の請求項４に記載の映像メッセージ配信システムは、請求項１乃至３のいずれかに記載の発明の構成に加え、前記会場端末が、前記会場側配信データ記憶手段に記憶された配信データを加工する配信データ加工手段を備え、前記放映データ作成手段は、当該配信データ加工手段により加工された配信データに基づき前記映像表示手段に表示させる放映データを作成することを特徴とする。
【００１２】
また、本発明の請求項５に記載の映像メッセージ配信システムは、請求項４に記載の発明の構成に加え、前記配信データ加工手段が、前記配信データの追加、編集、削除の少なくとも１つを実行することを特徴とする。
【００１３】
また、本発明の請求項６に記載の映像メッセージ配信システムは、請求項１乃至５のいずれかに記載の発明の構成に加え、前記放映データが、放映されるメッセージ及び映像を特定する情報の他、放映されるメッセージ及び映像の放映時間、放映時刻、放映場所、放映順序のうちの少なくとも１つを含むことを特徴とする。
【００１４】
また、本発明の請求項５に記載の映像メッセージ配信システムは、請求項６に記載の発明の構成に加え、前記会場端末が、前記配信データを構成する個々のデータに重み付けを行なう重み付け手段を備え、前記放映データ作成手段は、当該重み付け手段による重み付けに従って、前記放映時間又は放映順序を設定して前記放映データを作成することを特徴とする。
【００１５】
また、本発明の請求項８に記載の映像メッセージ配信システムは、請求項１乃至７のいずれかに記載の発明の構成に加え、前記会場端末が、前記放映データを出力する出力手段を備えたことを特徴とする。
【００１６】
また、本発明の請求項９に記載の映像メッセージ処理装置は、映像及びメッセージを表示するための表示手段と、前記映像及びメッセージの配信を申込む申込情報を入力する入力手段と、映像を記憶した映像記憶手段と、当該映像記憶手段から映像を選択する選択手段と、当該選択手段により選択された映像とともに配信するメッセージを作成するメッセージ作成手段と、前記選択手段により選択された映像及び前記メッセージ作成手段により作成されたメッセージと前記申込情報とを関連づけた配信データを記憶する配信データ記憶手段と、当該配信データ記憶手段に記憶された配信データに基づき、前記表示手段に映像及びメッセージを表示させるための放映データを作成する放映データ作成手段と、当該放映データ作成手段により作成された放映データに基づき、前記映像表示手段に映像及びメッセージを表示させる表示制御手段とを備えたことを特徴とする。
【００１７】
また、本発明の請求項１０に記載の映像メッセージ処理装置は、請求項９に記載の発明の構成に加え、前記申込情報は、申込者の顔写真を前記映像及びメッセージとともに表示するか否かについての情報を含むことを特徴とする。
【００１８】
また、本発明の請求項１１に記載の映像メッセージ処理装置は、請求項９又は１０に記載の発明の構成に加え、前記配信データ記憶手段に記憶された配信データを加工する配信データ加工手段を備え、前記放映データ作成手段は、当該配信データ加工手段により加工された配信データに基づき前記映像表示手段に表示させる放映データを作成することを特徴とする。
【００１９】
また、本発明の請求項１２に記載の映像メッセージ処理装置は、請求項１１に記載の発明の構成に加え、前記配信データ加工手段が、前記配信データの追加、編集、削除の少なくとも１つを実行することを特徴とする。
【００２０】
また、本発明の請求項１３に記載の映像メッセージ処理装置は、請求項９乃至１２のいずれかに記載の発明の構成に加え、前記放映データが、放映されるメッセージ及び映像を特定する情報の他、放映されるメッセージ及び映像の放映時間、放映時刻、放映場所、放映順序のうちの少なくとも１つを含むことを特徴とする。
【００２１】
また、本発明の請求項１４に記載の映像メッセージ処理装置は、請求項１３に記載の発明の構成に加え、前記配信データを構成する個々のデータに重み付けを行なう重み付け手段を備え、前記放映データ作成手段は、当該重み付け手段による重み付けに従って、前記放映時間又は放映順序を設定して前記放映データを作成することを特徴とする。
【００２２】
また、本発明の請求項１５に記載の映像メッセージ処理装置は、請求項９乃至１４のいずれかに記載の発明の構成に加え、前記放映データを出力する出力手段を備えたことを特徴とする。
【発明の効果】
【００２３】
本発明の請求項１に記載の映像メッセージ配信システムによれば、映像を記憶した管理サーバに申込端末からネットワークを介して接続し、記憶された映像の中から映像を選択し、この映像と共に放映するメッセージを作成して管理サーバに通知すると、管理サーバが会場端末に作成されたメッセージ及び選択された映像を申込情報と共に配信データとして配信し、会場端末が配信データに基づいた放映データを作成して、その放映データに基づき会場内の表示手段に映像メッセージを表示放映する。従って、式典などの会場で多くの参列者の目に触れ、印象に残る映像付のメッセージを、自宅等の申込端末から申し込むことができ、会場では、このようにして申し込まれた映像メッセージを適宜調整して会場の設備に適合した形態で放映することができる。
【００２４】
また、本発明の請求項２に記載の映像メッセージ配信システムによれば、請求項１に記載の発明の効果に加え、申込情報には申込者の顔写真を映像メッセージに表示するか否かの情報を含むため、申込者が希望する場合には、映像メッセージに顔写真を掲載して会場で放映することができ、メッセージの発信者を強く印象付けることができる。
【００２５】
また、本発明の請求項３に記載の映像メッセージ配信システムによれば、請求項１又は２に記載の発明の効果に加え、管理サーバと会場端末とに映像を記憶し、会場での放映の際には会場端末側に記憶された映像を呼び出して使用するようにしたので、配信データには映像データそのものを添付して管理サーバから会場端末に送信する必要が無く、送信データの容量を少なくして送信時間を短縮できる。
【００２６】
また、本発明の請求項４及び５に記載の映像メッセージ配信システムは、請求項１乃至３のいずれかに記載の発明の効果に加え、管理サーバから送信された配信データを会場端末側で自由に加工することができるので、例えば、式典の開始間際に申し込まれた映像メッセージについても会場端末側で受け付けて配信データを作成し、追加したり、会場の都合に合わせて配信データの内容を修正して映像メッセージの放映を実行することができる。
【００２７】
また、本発明の請求項６に記載の映像メッセージ配信システムは、請求項１乃至５のいずれかに記載の発明の効果に加え、会場端末で配信データに基づき作成される映像メッセージ放映のための放映データは、配信データに含まれていた情報の他、放映時間、放映時刻、放映順序の少なくとも１つを含むので、会場や式典の進行の都合に合わせて映像メッセージの放映を制御することができる。
【００２８】
また、本発明の請求項７に記載の映像メッセージ配信システムは、請求項６に記載の発明の効果に加え、個々の映像メッセージの放映時間や放映順序を設定する際に、映像メッセージの申込者の情報等から必要な重み付けを行なうので、映像メッセージの申込者に対して礼を尽くして映像メッセージを放映することができる。
【００２９】
また、本発明の請求項８に記載の映像メッセージ配信システムは、請求項１乃至７のいずれかに記載の発明の効果に加え、放映データを記録媒体や紙等に出力できるので、式典が終了した後や、参列者以外にも映像メッセージを見てもらったり、将来にわたって保存しておくことが可能である。
【００３０】
また、本発明の請求項９に記載の映像メッセージ処理装置は、記憶された映像の中から映像を選択し、この映像と共に放映するメッセージを作成して配信データとして作成し、この配信データに基づいた放映データを作成して、その放映データに基づき会場内の表示手段に映像メッセージを表示放映する。従って、式典などの会場で多くの参列者の目に触れ、印象に残る映像付のメッセージを、簡単に申し込むことができ、会場では、このようにして申し込まれた映像メッセージを適宜調整して会場の設備に適合した形態で放映することができる。
【００３１】
また、本発明の請求項１０に記載の映像メッセージ処理装置は、請求項９に記載の発明の効果に加え、申込情報には申込者の顔写真を映像メッセージに表示するか否かの情報を含むため、申込者が希望する場合には、映像メッセージに顔写真を掲載して会場で放映することができ、メッセージの発信者を強く印象付けることができる。
【００３２】
また、本発明の請求項１１及び１２に記載の映像メッセージ処理装置は、請求項９又は１０に記載の発明の効果に加え、配信データを自由に加工することができるので、例えば、式典の開始間際に申し込まれた映像メッセージについても受け付けて配信データを作成し、追加したり、会場の都合に合わせて配信データの内容を修正して映像メッセージの放映を実行することができる。
【００３３】
また、本発明の請求項１３に記載の映像メッセージ処理装置は、請求項９乃至１２のいずれかに記載の発明の効果に加え、配信データに基づき作成される映像メッセージ放映のための放映データは、配信データに含まれていた情報の他、放映時間、放映時刻、放映順序の少なくとも１つを含むので、会場や式典の進行の都合に合わせて映像メッセージの放映を制御することができる。
【００３４】
また、本発明の請求項１４に記載の映像メッセージ処理装置は、請求項１３に記載の発明の効果に加え、個々の映像メッセージの放映時間や放映順序を設定する際に、映像メッセージの申込者の情報等から必要な重み付けを行なうので、映像メッセージの申込者に対して礼を尽くして映像メッセージを放映することができる。
【００３５】
また、本発明の請求項１５に記載の映像メッセージ処理装置は、請求項９乃至１４のいずれかに記載の発明の効果に加え、放映データを記録媒体や紙等に出力できるので、式典が終了した後や、参列者以外にも映像メッセージを見てもらったり、将来にわたって保存しておくことが可能である。
【発明を実施するための最良の形態】
【００３６】
次に本発明を葬儀場で映像メッセージを放映する映像メッセージ配信システムに適用した実施の形態について図面を参照して説明する。まず、映像メッセージ配信システム１の全体構成について図１を参照して説明する。図１は、映像メッセージ配信システム１の全体概念図である。映像メッセージ配信システム１は、インターネット８上に設けられた各種のデータベースを備えた管理サーバ２と、インターネット８に接続されたメッセージの発信者の端末装置である申込端末３と、葬儀会場に設けられ、インターネット８に接続した端末装置である会場端末４とからなっている。図示しないが、申込端末３や会場端末４は多数がインターネット８に接続されている。
【００３７】
本実施形態の映像メッセージ配信システム１の概略を図１を参照して説明すると、例えば、訃報に接し、葬儀場に追悼メッセージを送りたいと利用者が考えた場合、自宅等のパソコンである申込端末３にて、管理サーバ２に接続し、映像メッセージの配信を申し込む。管理サーバ２では、申込情報の受信に応じて、メッセージに添付可能な映像の一覧を申込端末３に送信する。申込端末３では、映像を選んで管理サーバ２に通知し、メッセージを入力して、送信する。管理サーバ２では、このような配信申込をとりまとめて、会場端末４に配信データとして送信する。配信データを受信した会場端末４では、会場側でファックスや電話、口頭等により直接受け付けた映像メッセージの申込を入力し、放映すべき映像メッセージの配信データを完成する。そして、配信データで特定される映像メッセージの放映場所や放映順序、放映時間をメッセージの発信者に応じて設定し、スクリーン２２３等で放映するための放映データを作成する。そして、会場内のスクリーン２２３やディスプレイに放映データを出力し、指定された時間に映像メッセージを放映する。
【００３８】
次に、図２〜図４を参照して、本実施形態の映像メッセージ配信システム１を構成する管理サーバ２，申込端末３，会場端末４の電気的構成について説明する。図２は、管理サーバ２の電気的構成を示すブロック図である。図３は、申込端末３の電気的構成を示すブロック図である。図４は、会場端末４の電気的構成を示すブロック図である。
【００３９】
図２に示すように、管理サーバ２は、周知のワークステーションの構成からなり、管理サーバ２の制御を司るＣＰＵ２０が設けられ、ＣＰＵ２０には、ＢＩＯＳ等を記憶したＲＯＭ２１と、各種のデータを一時的に記憶するＲＡＭ２２と、データの受け渡しの仲介を行なうＩ／Ｏインタフェイス４０とが接続されている。Ｉ／Ｏインタフェイス４０には、インターネット８を介して外部の機器と接続するための通信制御を行なう通信制御インタフェイス４１が接続されている。また、Ｉ／Ｏインタフェイス４０には、文字その他を表示するディスプレイ２４と、各種のキーから入力を行なうキーボード２６と、画面上の任意の場所をポイントするためのマウス２７と、ＣＤ−ＲＯＭ２９を読み込むためのＣＤ−ＲＯＭドライブ２８と、ハードディスク装置３０とが接続されている。
【００４０】
ハードディスク装置３０は、ＣＰＵ２０で実行されるプログラムを記憶したプログラム記憶エリア３１、映像メッセージ会員の登録情報を記憶した会員データベース３２、メッセージに添付する映像を記憶した映像データベース３３、映像とともに放映するメッセージの例文集を記憶したメッセージデータベース３４、申し込まれた映像メッセージの配信データを記憶する配信データ記憶エリア３５を有している。尚、映像データベース３３が本発明のサーバ側映像記憶手段に、配信データ記憶エリア３５が本発明のサーバ側配信データ記憶手段に相当する。
【００４１】
また、図３に示すように、申込端末３は、周知のパーソナルコンピュータの構成からなり、申込端末３の制御を司るＣＰＵ１２０が設けられ、ＣＰＵ１２０には、ＢＩＯＳ等を記憶したＲＯＭ１２１と、各種のデータを一時的に記憶するＲＡＭ１２２と、データの受け渡しの仲介を行なうＩ／Ｏインタフェイス１４０とが接続されている。Ｉ／Ｏインタフェイス１４０には、インターネット８を介して管理サーバ２と接続するための通信制御を行なう通信制御インタフェイス１４１が接続されている。また、Ｉ／Ｏインタフェイス１４０には、文字その他を表示するディスプレイ１２４と、各種のキーから入力を行なうキーボード１２６と、画面上の任意の場所をポイントするためのマウス１２７と、ＣＤ−ＲＯＭ１２９を読み込むためのＣＤ−ＲＯＭドライブ１２８と、ハードディスク装置１３０とが接続されている。ハードディスク装置１３０は、ＣＰＵ１２０で実行されるプログラムを記憶したプログラム記憶エリア１３１、各種のプログラムを使用して作成したデータの記憶エリアであるデータ記憶エリア１３２を有している。
【００４２】
また、図４に示すように、会場端末４は、周知のパーソナルコンピュータの構成からなり、会場端末４の制御を司るＣＰＵ２２０が設けられ、ＣＰＵ２２０には、ＢＩＯＳ等を記憶したＲＯＭ２２１と、各種のデータを一時的に記憶するＲＡＭ２２２と、データの受け渡しの仲介を行なうＩ／Ｏインタフェイス２４０とが接続されている。Ｉ／Ｏインタフェイス２４０には、インターネット８を介して管理サーバ２と接続するための通信制御を行なう通信制御インタフェイス２４１が接続されている。また、Ｉ／Ｏインタフェイス２４０には、映像メッセージを放映するためのスクリーン２２３と、文字その他を表示するディスプレイ２２４と、各種のキーから入力を行なうキーボード２２６と、画面上の任意の場所をポイントするためのマウス２２７と、ＣＤ−Ｒ２２９を読み込み、書き込むためのＣＤ−Ｒドライブ２２８と、ハードディスク装置２３０とが接続されている。ハードディスク装置２３０は、ＣＰＵ２２０で実行されるプログラムを記憶したプログラム記憶エリア２３１、管理サーバ２から送信されてきた映像データを記憶した映像データベース２３２、管理サーバ２から送信されてきた配信データを記憶する配信データ記憶エリア２３３、配信データ記憶エリア２３３に記憶された配信データから作成された放映データを記憶する放映データ記憶エリア２３４を有している。なお、配信データ記憶エリア２３３が会場側配信データ記憶手段に相当する。
【００４３】
次に、図５〜図１０を参照して、映像メッセージ配信システム１で使用される各種データのデータ構成について説明する。図５は、会員データベース３２のデータ構成を示す模式図である。図６は、映像データベース３３のデータ構成を示す模式図である。図７は、メッセージデータベース３４のデータ構成を示す模式図である。図８は、配信データ記憶エリア３５に記憶された配信データのデータ構成を示す模式図である。図９は、会場端末４の配信データ記憶エリア２３３に記憶された配信データのデータ構成を示す模式図である。図１０は、会場端末４の放映データ記憶エリア２３４に記憶された放映データのデータ構成を示す模式図である。
【００４４】
図５に示すように、会員データベース３２は、映像メッセージの申込のための会員に関する情報を記録したデータベースである。会員登録をすることにより、映像メッセージを何度も申し込む場合に申込の省力化をすることができる。図５に示すように、会員データベース３２は、会員１人あたり１レコードが記憶されており、レコードの管理用の番号３２１，会員を特定するための識別用の会員ＩＤ３２２，会員の属する企業名３２３，会員の企業内での役職名３２４，会員の氏名３２５，会員の住所３２６，会員の顔写真３２７から構成されている。このような会員情報を予め登録しておくことにより、映像メッセージの申込の際には、例えば住所のような誤入力がおこりやすく、面倒な入力作業を省くことができる。また、会員登録時に顔写真をアップロードしておけば、申込時に顔写真をその都度アップロードしなくても映像メッセージに顔写真を添付して放映させることが可能である。
【００４５】
また、図６に示すように、映像データベース３３は、メッセージの背景に流される動画映像を多数記憶したデータベースである。各映像につき１レコードが記憶されており、レコードの管理用番号３３１，映像を特定するための識別用の映像ＩＤ３３２，映像一覧にサンプル映像と共に表示される映像の表題３３３，映像データ本体３３４から構成されている。図示しないが、一覧表示の際に用いられるサンプル映像又は静止画像も構成要素としてもよい。映像データベース３３の各レコードは、各会員端末４に送信され、会員端末４の映像データベース２３３に記憶されて、各会場における映像メッセージの放映の際に呼び出されて使用される。
【００４６】
また、図７に示すように、メッセージデータベース３４は、映像メッセージにおいて背景映像に重ねて表示されるメッセージの本体の例文集を記憶したデータベースである。メッセージは、申込者が新規に作成するように構成してもよいが、特に葬儀に際して送られる追悼メッセージは定型のものが多く、また、メッセージを送る利用者にとっても、なじみがない文章であるため、例文が用意されていた方が利用しやすい。このため、故人と喪主との関係に応じたメッセージのカテゴリに分類してメッセージのデータベースとして構成している。メッセージデータベース３４は、管理用番号３４１，メッセージを特定するための識別用のメッセージＩＤ３４２，メッセージのカテゴリ３４３，メッセージ本体３４４から構成されている。尚、メッセージのカテゴリは、故人と喪主との関係に限られるものではない。
【００４７】
また、図８に示すように、配信データ記憶エリア３５には、申込の際に入力された情報に基づいて各申込ごとに１レコードが生成され、配信データとして記憶されている。配信データの各レコードは、レコードの管理用番号３５０１，申込の受付日時３５０２，配信先の葬儀家名３５０３，配信先の葬儀日３５０４，葬儀の式場名３５０５，映像メッセージの申込者の企業名３５０６，役職名３５０７，申込者の氏名３５０８，申込者が登録会員の場合の会員ＩＤ３５０９，申込者の住所３５１０，映像メッセージに顔写真を掲載するか否かを示す種別３５１１，放映すべき映像の映像ＩＤ３５１２，メッセージＩＤ３５１３から構成されている。たとえば、管理番号１のレコードの配信データは、受付日時３５０２が２００４年３月２０日の１１時３０分で、配信先の葬儀家名３５０３は山田家、配信先の葬儀日３５０４は２００４年３月２１日、葬儀の行なわれる式場名３５０５は○○斎場、申込者の企業名３５０６は株式会社アクト、申込者の役職名３５０７は代表取締役、申込者の氏名３５０８は有働聡、申込者の会員ＩＤは１００１０，顔写真の有無種別３５１１は「Ａ」で掲載、放映する映像の映像ＩＤ３５１２はＭ１０１０の津和野、放映メッセージのメッセージＩＤ３５１３はＴ１３１０となっている。この配信データによれば、２００４年３月２１日に○○斎場で執り行われる山田家の葬儀に、津和野の背景映像を使った顔写真入の映像メッセージを放映する申込が、会員ＩＤ１００１０の会員から葬儀前日の２００４年３月２０日になされている。
【００４８】
また、図９に示すように、会員端末４の配信データ記憶エリア２３３には、その会場端末４が設置されている会場が配信先となっている配信データが記憶される。各配信データは、図８に示す配信データ記憶エリア２３と同様にレコードの管理用番号２３０１，申込の受付日時２３０２，配信先の葬儀家名２３０３，配信先の葬儀日２３０４，葬儀の式場名２３０５，映像メッセージの申込者の企業名２３０６，役職名２３０７，申込者の氏名２３０８，申込者が登録会員の場合の会員ＩＤ２３０９，申込者の住所２３１０，映像メッセージに顔写真を掲載するか否かを示す種別２３１１，放映すべき映像の映像ＩＤ２３１２，メッセージＩＤ２３１３から構成されている。但し、管理サーバ２から配信データが送信されてくる際に、その会員端末４の式場名に対応する配信データのみを抽出して送られてくるので、式場名は、例えば、図９に示す例では、○○斎場のものに限られている。さらに、配信データ記憶エリア２３３には、管理サーバ２から送信されてくる配信データに限らず、電話やファックス、口頭などで会場で申込を受け付け、会場端末４から入力された映像メッセージの申込データも同様に記憶される。
【００４９】
また、図１０に示すように、会員端末４の放映データ記憶エリア２３４には、配信データ記憶エリア２３３に記憶されている配信データに基づいて作成される放映データが記憶される。放映データの各レコードは、レコードの管理用番号２４０１の他、配信データの構成項目からそのまま引き継いだ項目として、葬儀家名２４０２，葬儀日２４０３，式場名２４０４，映像メッセージの申込者の企業名２４０５，役職名２４０６，申込者の氏名２４０７，申込者が登録会員の場合の会員ＩＤ２４０８，映像メッセージに顔写真を掲載するか否かを示す種別２４１０，放映すべき映像の映像ＩＤ２４１１，メッセージＩＤ２４１２の項目を有し、さらに、放映データ作成の際に追加される項目として各映像メッセージの放映時間２４１３，放映順序２４１４，放映場所２４１５から構成されている。放映データは、同じ葬儀に宛てて配信申込がなされた映像メッセージの一覧を、会場端末４から閲覧し、放映する場所（本会場内のスクリーン、待合室のスクリーンなど）を決定し、その中で重み付けをして放映順序や放映時間を決定して作成され、記憶されるものである。
【００５０】
次に、映像メッセージ配信システム１の動作について説明する。まず、図１１を参照して、映像メッセージ配信システム１の全体の工程について説明する。図１１は、映像メッセージ配信システム１の処理の概容を示す工程図である。図１１に示すように、利用者が、映像メッセージをある葬儀場で行なわれる葬儀において放映して欲しいと望む場合、利用者が使用できる申込端末３から管理サーバ２に接続して申込情報を入力して（５１）管理サーバ２に送信する（５２）。管理サーバ２では、受信した申込情報が登録会員ＩＤを含む場合には、会員データベース３２を検索して会社名や住所、登録されている顔写真等の必要な情報を取り出す（５３）。また、管理サーバ２は、映像データベース３３からメッセージと共に放映可能な映像の一覧を取り出して申込端末３に送信する（５４）。申込端末３では、受信した映像一覧から所望の映像を選択して（５５）、管理サーバ２に通知する（５６）。
【００５１】
また、管理サーバ２は、申込情報の受信の際にメッセージデータベース３４を検索して、例文を申込端末３に送信する（５７）。申込端末３は、受信した例文を選択したり、修正したり、または、全く新規に作成したりして（５８）、その結果を管理サーバ２に送信する（５９）。申込端末３における映像の選択とメッセージの選択は、いずれが先行してもよい。
【００５２】
以上のようにして放映したい映像とメッセージが決定され、管理サーバ２に送られると、管理サーバ２では、先に受信した申込情報と対応づけて、会場端末４に送信するための配信データを作成する（６０）。複数の申込端末から以上のような配信申込が行なわれた結果作成される配信データは、管理サーバ２の配信データ記憶エリア３５に記憶され（６１），所定のタイミング、例えば葬儀の前日夜等に会場端末４に送信される（６２）。
【００５３】
一方、会場端末４では、電話やファックス、口頭で映像メッセージ放映申込を受け付けることができる。受け付けた申込情報を入力し（７１）、申込者から指定された映像を会場端末４の映像データベース２３２から選択し（７２）、メッセージを例文から選択・修正するか指定のメッセージを新規に入力して作成し（７３）、以上の情報を配信データとして会場端末４の配信データ記憶エリア２３３に記憶する（７４）。
【００５４】
このようにして、会場端末４の配信データ記憶エリア２３３には、管理サーバ２から送信された配信データと、会場端末４において入力された配信データが記憶される。会場端末４では、このような配信データを葬儀家名ごとに抽出し、必要であれば追加や修正、削除等の加工を行ない（７６）、申込者の企業名や役職名、故人との関係を考慮して配信データ間の重み付けを行なう（７７）。
【００５５】
重み付け後、配信データの放映場所や時間、順序を指定して放映データを作成して（７８）、放映データ記憶エリア２３４に記憶し、待合室や葬儀場内のスクリーン２２３に放映データを送信して指定した時刻に放映を行ない（７９）、また、ＣＤ−Ｒ２２９等の記録媒体に記録して（８０）利用者に頒布する。
【００５６】
次に、図１２及び図１３を参照して管理サーバ２の動作について説明する。なお、図１２及び図１３にフローチャートで示される各プログラムは、ハードディスク装置３０のプログラム記憶エリア３１に記憶されており、ＣＰＵ２０により実行される。図１２は、管理サーバ２のメインルーチンのフローチャートである。図１３は、図１２のＳ７で実行される配信データ作成処理の流れを示すフローチャートである。
【００５７】
まず、図１２を参照して、管理サーバ２の全体の処理の流れについて説明する。管理サーバ２では、映像メッセージの配信を複数回申し込むような申込者について、情報の入力を省力化するために会員登録を行なう会員登録処理、映像メッセージの配信が申込端末３から申し込まれた場合に実行する配信データ作成処理、所定のタイミングで配信データを各会場端末４に送信する配信データ送信処理、その他本発明に直接関連のない処理が繰り返し実行されている。
【００５８】
まず、電源が投入されると、各種の初期処理が実行された後、会員登録の指示が入力されたか否かを判断する（Ｓ１）。会員登録の受付は、インターネット８を介して申込端末３や会場端末４から行なうようにしてもよいし、その他の端末からの入力を受け付けるようにしてもよい。会員登録を行なう場合には（Ｓ１：ＹＥＳ）、会員申込者の企業名、役職名、氏名、住所、顔写真（任意）の入力を受け付け、会員ＩＤを付与して会員データベース３２に登録する会員登録処理を実行する（Ｓ３）。会員ＩＤは、重複がないように一意なキーが付与される。会員登録処理終了後は、Ｓ１に戻る。
【００５９】
会員登録指示でない場合には（Ｓ１：ＮＯ）、申込端末３から映像メッセージ配信を申し込む旨のの申込情報を受信したか否かを判断する（Ｓ５）。申込情報を受信した場合には（Ｓ５：ＹＥＳ）、申込端末３が指定する映像やメッセージを特定する配信データを作成する配信データ作成処理を実行し（Ｓ７）、Ｓ１に戻る。配信データ作成処理の詳細については、図１３を参照して後述する。
【００６０】
申込情報の受信でない場合には（Ｓ５：ＮＯ）、いずれかの会場端末４に配信データを送信するタイミングか否かを判断する（Ｓ９）。送信のタイミングは、葬儀の日時の所定時間前となるように設定してもよく、また、１日に１度深夜に送信するように設定する等任意に設定できる。送信タイミングであれば（Ｓ９：ＹＥＳ）、対象となる配信データを、配信データ記憶エリア３５から、式場別に抽出し、式場に設置された会場端末４に向けて送信する（Ｓ１１）。式場と会場端末４の対応は、図示外の会場端末データベースを用意し、式場ごとに配信データを抽出した後、その式場にある会場端末４のアドレスを会場端末データベースから検索して送信するようにしてもよい。配信データ送信処理の終了後、Ｓ１に戻る。配信データの送信を行なわない場合には（Ｓ９：ＮＯ）、管理サーバ２が行なう本発明に直接関連のないその他の処理を実行し（Ｓ１５）、Ｓ１に戻る。
【００６１】
次に、図１３を参照して、図１２のＳ７で実行される配信データ作成処理の詳細について説明する。まず、申込情報を送信してきた申込端末３に対し、申込者に関する情報を入力するためのフォームを送信する（Ｓ１１）。入力フォームは、周知のＷＷＷブラウザ上で入力を行なうものでもよいし、専用の入力用ソフトウェアであってもよい。
【００６２】
次に、入力フォームを用いて申込端末３が入力して送信してくる申込者情報を受信する（Ｓ１３）。ここで、申込者情報には、会員登録をしている申込者の場合は会員ＩＤ、会員登録をしていない申込者の場合は、企業名、役職名、氏名、住所等の申込者を特定するための情報が該当する。なお、登録会員以外からの申込の場合にも、顔写真の掲載を受け付け、顔写真データのアップロードを行えるように構成してもよい。
【００６３】
受信した申込者情報に不備があれば再度入力・送信を促し、不備がなければ、次に、映像メッセージを配信したい先についての配信先情報を入力するための入力フォームを送信する（Ｓ１５）。そして、その入力フォームを用いて申込端末３が入力して送信してくる配信先情報を受信する（Ｓ１７）。ここで、配信先情報には、葬儀場（式場）名、葬儀日、葬儀家名等の配信先を特定するための情報が該当する。
【００６４】
受信した配信先情報に不備があれば再度入力・送信を促し、不備がなければ、次に、メッセージと共に放映する映像（動画）を選択するための一覧データを映像データベース３３から読み込み（Ｓ１９）、申込端末３に送信する（Ｓ２１）。そして、申込端末３が一覧の中から所望の映像を選択して通知してくるのを受信する（Ｓ２３）。ここでは、映像データベース３３に記憶されている映像をメッセージの背景に放映する形態を想定しているが、申込端末３から所望の映像データの送信を受け付け、映像ＩＤを一時的に付与して映像データベースに格納し、オリジナルの映像メッセージを配信をするように構成してもよい。
【００６５】
次に、選択された映像と共に放映するメッセージのカテゴリをメッセージデータベース３４から読み出して申込端末３に送信する（Ｓ２５）。追悼メッセージは、故人とメッセージの発信者の関係によりおおまかに分類できるので、メッセージデータベース３４はカテゴリによりメッセージを分類している。このカテゴリをまず申込端末３にて選択させるためのものである。
【００６６】
次に、申込端末３が選択したカテゴリを送信してくるのを受信し（Ｓ２７）、そのカテゴリに分類されているメッセージの例文集をメッセージデータベース３４から抽出し、送信する（Ｓ２９）。そして、申込端末３においてその例文を修正したいという操作が行なわれ、その旨が送信されてきたか否かを判断し（Ｓ３１）、修正指示を受信した場合には（Ｓ３１：ＹＥＳ）、例文を表示した修正用の入力フォームを送信する（Ｓ３３）。そして、修正されたメッセージ、もしくは、修正指示がなかった場合には、選択された例文そのままのメッセージを申込端末３から受信する（Ｓ３５）。
【００６７】
以上により、申込者が望む映像メッセージの内容、配信先、申込者に関する情報が揃ったので、これらを対応づけ、受付日時を付して配信データを作成する（Ｓ３７）。そして、作成された配信データを図８に示すように配信データ記憶エリア３５に記憶する（Ｓ３９）。以上により、配信データ作成処理が完了するので、図１２に示す管理サーバ２のメインルーチンに戻る。
【００６８】
次に、図１４〜図２３を参照して、申込端末３の動作について説明する。尚、図１４〜図１８にフローチャートで示される各プログラムは、ハードディスク装置１３０のプログラム記憶エリア１３１に記憶されており、ＣＰＵ１２０により実行される。図１４は、申込端末３における処理の流れの全体を示すメインルーチンのフローチャートである。図１５は、図１４のＳ１０３で実行される申込者情報入力処理の流れを示すフローチャートである。図１６は、図１４のＳ１０５で実行される配信先情報入力処理の流れを示すフローチャートである。図１７は、図１４のＳ１０７で実行される映像選択処理の流れを示すフローチャートである。図１８は、図１４のＳ１０９で実行されるメッセージ入力処理の流れを示すフローチャートである。図１９は、配信先情報入力画面の例を示すイメージ図である。図２０は、映像選択画面の例を示すイメージ図である。図２１は、メッセージカテゴリ選択画面の例を示すイメージ図である。図２２は、メッセージ選択画面の例を示すイメージ図である。図２３は、メッセージ修正入力画面の例を示すイメージ図である。
【００６９】
まず、図１４を参照して、申込端末３の全体の処理の流れを説明する。申込端末３では、管理サーバ２に接続して所望の映像メッセージを配信するための各種の情報を入力し管理サーバ２に送信する処理が行なわれる。
【００７０】
図１４に示すように、申込端末３の電源が投入されると、各種の初期処理が実行された後、キーボード１２６やマウス１２７の操作により、ＷＷＷブラウザを起動する等の周知の方法でインターネット８に接続し、インターネット８上に置かれた管理サーバ２に接続する（Ｓ１０１）。そして、管理サーバ２が用意した映像メッセージの受付画面をＷＷＷブラウザ上で閲覧し、映像メッセージの申込をキーボード１２６やマウス１２７の操作により管理サーバ２に送信して申込者情報の入力処理を行なう（Ｓ１０３）。申込者情報入力処理の詳細については、図１５を参照して後述する。
【００７１】
申込者情報入力処理が終了し、入力した申込者情報を管理サーバ２に送信したら、映像メッセージの放映を実施する配信先に関する情報を入力する配信先情報入力処理を実行する（Ｓ１０５）。配信先情報入力処理の詳細については、図１６を参照して後述する。
【００７２】
配信先情報入力処理が終了し、入力した配信先情報を管理サーバ２に送信したら、管理サーバ２から送られてきた映像一覧から所望の映像を選択する映像選択処理を実行する（Ｓ１０７）。映像選択処理の詳細については、図１７を参照して後述する。
【００７３】
映像選択処理が終了し、選択した映像を管理サーバ２に通知したら、映像と共に放映する追悼メッセージを入力するメッセージ入力処理を実行する（Ｓ１０９）。メッセージ入力処理の詳細については、図１８を参照して後述する。
【００７４】
メッセージ入力処理が終了し、入力したメッセージを管理サーバ２に送信したら、管理サーバ２が、これまでに申込端末３から入力・送信した内容を確認のために送ってくるので、これを受信して（Ｓ１１１）、確認画面として生成し、表示する（Ｓ１１３）。
【００７５】
確認画面を閲覧した利用者がキーボード１２６やマウス１２７の操作により承認を指示したか否かを判断し（Ｓ１１５）、承認されなければ（Ｓ１１５：ＮＯ）、Ｓ１０３に戻って申込者情報の入力処理からやりなおす。また、ここで修正の必要な画面にジャンプして入力ができるように構成してもよい。
【００７６】
承認が指示されたら（Ｓ１１５：ＹＥＳ）、管理サーバ２に承認情報を送信し（Ｓ１１７）、申込端末３における処理を終了する。
【００７７】
次に、図１５を参照して、図１４のＳ１０３で実行する申込者情報入力処理の詳細について説明する。まず、管理サーバ２から申込者情報入力用の入力フォームを受信し（Ｓ１２１）、このデータに基づいてＷＷＷブラウザ等で入力可能な画面を生成し、表示する（Ｓ１２３）。そして、キーボード１２６やマウス１２７の操作により申込者の企業名、役職名、氏名、住所、又は、会員ＩＤ等の必要なデータを入力するのを受け付ける（Ｓ１２５）。そして、入力が完了したか否かを判断し（Ｓ１２７）、入力が完了していなければ（Ｓ１２７：ＮＯ）、Ｓ１２５に戻って引き続き入力を受け付け、入力が完了すれば（Ｓ１２７：ＹＥＳ）、利用者に入力内容を確認・承認させてから入力内容である申込者情報を管理サーバ２に送信する（Ｓ１２９）。そして、図１４に示す申込端末３のメインルーチンに戻る。
【００７８】
次に、図１６を参照して、図１４のＳ１０５で実行する配信先情報入力処理の詳細について説明する。まず、管理サーバ２から配信先情報入力用の入力フォームを受信し（Ｓ１３１）、このデータに基づいてＷＷＷブラウザ等で入力可能な画面を生成し、図１９に示すような配信先情報入力画面を表示する（Ｓ１３３）。そして、キーボード１２６やマウス１２７の操作によりメッセージの届け先に関する情報、すなわち、葬儀の日付、葬儀家名、葬儀場の式場名等の必要なデータを入力するのを受け付ける（Ｓ１３５）。そして、入力が完了したか否かを判断し（Ｓ１３７）、入力が完了していなければ（Ｓ１３７：ＮＯ）、Ｓ１３５に戻って引き続き入力を受け付け、入力が完了すれば（Ｓ１３７：ＹＥＳ）、利用者に入力内容を確認・承認させてから入力内容である配信先情報を管理サーバ２に送信する（Ｓ１３９）。そして、図１４に示す申込端末３のメインルーチンに戻る。
【００７９】
次に、図１７を参照して、図１４のＳ１０７で実行する映像選択処理の詳細について説明する。まず、管理サーバ２から選択可能な映像の一覧を受信する（Ｓ１４１）。そして、その一覧データに基づいて、ＷＷＷブラウザ上に映像が選択可能な画面を生成し、図２０に示すような映像選択画面を表示する（Ｓ１４３）。映像選択画面は、映像の数により、数ページに構成してもよいし、スクロール可能にしてもよい。また、映像をマウス１２７の操作でポイントすると、サンプルの動画が配信され、その場で画像の動きが確認できるように構成してもよい。
【００８０】
そして、キーボード１２６やマウス１２７の操作により利用者が所望の映像を選択するのを受け付ける（Ｓ１４５）。ここでは、一覧にある映像から選択するように構成しているが、オリジナルの映像データを管理サーバ２にアップロード可能に構成してもよい。次いで、映像の選択が完了したか否かを判断し（Ｓ１４７）、選択が完了していなければ（Ｓ１４７：ＮＯ）、Ｓ１４５に戻って引き続き選択入力を受け付け、選択が完了すれば（Ｓ１４７：ＹＥＳ）、利用者に選択内容を確認・承認させてから選択映像の番号を管理サーバ２に送信して通知する（Ｓ１４９）。そして、図１４に示す申込端末３のメインルーチンに戻る。
【００８１】
次に、図１８を参照して、図１４のＳ１０９で実行するメッセージ入力処理の詳細について説明する。まず、管理サーバ２からメッセージのカテゴリ一覧データを受信し（Ｓ１５１）、その一覧データに基づいて、ＷＷＷブラウザ上にメッセージのカテゴリが選択可能な画面を生成し、図２１に示すようなメッセージカテゴリ選択画面を表示する（Ｓ１５３）。追悼メッセージは、喪主と故人の関係を軸に、いくつかに分類できるので、ここでは、喪主と故人の関係からカテゴリを作成している。メッセージのカテゴリは、これに限られるものではない。
【００８２】
次に、キーボード１２６やマウス１２７の操作により利用者が所望のカテゴリを選択するのを受け付ける（Ｓ１５５）。そして、カテゴリの選択が完了したか否かを判断し（Ｓ１５７）、選択が完了していなければ（Ｓ１５７：ＮＯ）、Ｓ１５５に戻って引き続き選択入力を受け付け、選択が完了すれば（Ｓ１５７：ＹＥＳ）、利用者に選択内容を確認・承認させてから選択カテゴリを管理サーバ２に送信して通知する（Ｓ１５９）。すると、管理サーバ２は、送信したカテゴリに分類されているメッセージの例文を送信してくるので、これを受信し（Ｓ１６１）、この例文をＷＷＷブラウザ上で選択可能な状態の画面を生成し、図２２に示すような例文の選択画面を表示する（Ｓ１６３）。
【００８３】
次に、キーボード１２６やマウス１２７の操作により利用者が例文の番号を選択して例文の修正指示をしたか否かを判断する（Ｓ１６５）。追悼メッセージは、定型文が多く用いられるが、利用者が細部を修正して自分に会わせたメッセージを作成したいという要望に合わせて、本実施形態では、例文を修正可能に構成している。例文の修正指示がなされた場合には（Ｓ１６５：ＹＥＳ）、修正する旨を管理サーバ２に通知し、これを受けて送られてくる修正用のフォームを受信する（Ｓ１６７）。そして、このフォームに基づいてＷＷＷブラウザ上に入力フォームを表示し、その入力フォーム中に例文をさらに表示して修正可能とする画面を生成し、図２３に示すようなメッセージ入力画面を表示する（Ｓ１６９）。そして、キーボード１２６やマウス１２７の操作により利用者からメッセージの入力を受け付け（Ｓ１７１）、その入力が完了したら、メッセージを管理サーバ２に送信する（Ｓ１７３）。ここでは、修正フォーム内の例文を全て削除して入力すれば、例文によらないまったく新たなメッセージを入力することが可能であるが、例文の選択画面に予め新規メッセージの入力を指示するボタンを用意するように構成してもよい。一方、例文の修正が指示されなかった場合には（Ｓ１６５：ＮＯ）、選択された例文の番号を管理サーバ２にメッセージとして送信する（Ｓ１７３）。以上により、メッセージの入力・送信が完了したので、図１４に示す申込端末３のメインルーチンに戻る。
【００８４】
次に、図２４〜図２７を参照して、会場端末４の動作について説明する。尚、図２４〜図２７にフローチャートで示される各プログラムは、ハードディスク装置２３０のプログラム記憶エリア２３１に記憶されており、ＣＰＵ２２０により実行される。図２４は、会場端末４における処理の流れの全体を示すメインルーチンのフローチャートである。図２５は、図２４のＳ２１５で実行される申込受付処理の処理の流れを示すフローチャートである。図２６は、図２４のＳ２２３で実行される放映データ作成処理の処理の流れを示すフローチャートである。図２７は、図２４のＳ２２７で実行される放映データ出力処理の流れを示すフローチャートである。
【００８５】
まず、図２４を参照して、会場端末４の全体の処理の流れを説明する。会場端末４では、管理サーバ２から随時送られてくる映像データベース３３のデータを同期させて記憶する処理、電話やファックス、訪問等、申込端末３を介さない映像メッセージの申込受付、配信データの加工、配信データに基づいた放映データの作成、作成した放映データの出力処理、その他本発明に直接関連のない処理が実行される。
【００８６】
まず、電源が投入されると、各種の初期処理が実行された後、管理サーバ２から映像データを受信したか否かを判断する（Ｓ２０１）。映像データは、動画データであるため、データサイズが大きいことから、本実施形態では、配信データの送信時に映像データを添付する形態ではなく、会場端末４の側に管理サーバ２と同期させた映像データベースをもたせ、配信データでは映像のＩＤを指定するように構成している。このため、管理サーバ２における映像データベース３３の更新の際には、定期的若しくは不定期に各会場端末４に映像データを送信して同期を計る必要がある。このような映像データが管理サーバ２から送信されてきたか否かを判断するものである。もちろん、映像データベース２３２は会場端末４の必須の構成ではなく、配信データの送信時に映像データをその都度添付して管理サーバ２から送るように構成してもよい。映像データの受信の場合には（Ｓ２０１：ＹＥＳ）、送られてきた映像データを、映像データベース２３２に記憶する（Ｓ２０３）。また、送られてきたのが映像データの削除や置換であれば、その指示に応じた処理を映像データベース２３２に対して実行する。そして、Ｓ２０１に戻る。
【００８７】
映像データの受信でなければ（Ｓ２０１：ＮＯ）、管理サーバ２から会場端末４の設置されている会場で映像メッセージを放映するための配信データを受信したか否かを判断する（Ｓ２０９）。配信データが送信されてきた場合には（Ｓ２０９：ＹＥＳ）、その配信データを配信データ記憶エリア２３３に記憶し（Ｓ２１１）、Ｓ２０１に戻る。
【００８８】
配信データの受信でなければ（Ｓ２０９：ＮＯ）、申込端末３以外の方法で受け付けた映像メッセージの申込みを入力する操作がなされたか否かを判断する（Ｓ２１３）。申込の受付の場合には（Ｓ２１３：ＹＥＳ）、電話やファックス等の方法で受け付けた内容を入力して記憶する申込受付処理を実行し（Ｓ２１５）、Ｓ２０１に戻る。申込受付処理の詳細は、図２５を参照して後述する。
【００８９】
申込受付でない場合には（Ｓ２１３：ＮＯ）、配信データ記憶エリア２３３に記憶されている配信データの修正や追加、加工を行なう操作がなされたか否かを判断する（Ｓ２１７）。葬儀場での追悼メッセージは、日時が迫ってから申込みが行なわれることもあって、配信データの修正や追加が頻繁に行なわれる可能性がある。配信データ加工の操作が行なわれた場合には（Ｓ２１７：ＹＥＳ）、配信データ記憶エリア２３３から氏名や企業名などをキーにして配信データを検索し、必要な修正を加えて配信データ加工処理を実行し（Ｓ２１９）、Ｓ２０１に戻る。
【００９０】
配信データの加工でなければ（Ｓ２１７：ＮＯ）、配信データに基づいて映像メッセージの放映方法を決める放映データの作成を行なうよう指示されたか否かを判断する（Ｓ２２１）。放映データの作成の場合には（Ｓ２２１：ＹＥＳ）、配信データに基づいて、映像メッセージをどのように放映するかを指示する放映データの作成処理を実行し（Ｓ２２３）、Ｓ２０１に戻る。放映データ作成処理の詳細については、図２６を参照して後述する。
【００９１】
放映データの作成でない場合には（Ｓ２２１：ＮＯ）、できあがった放映データを出力する指示がなされたか否かを判断する（Ｓ２２５）。放映データの出力指示の場合には（Ｓ２２５：ＹＥＳ）、スクリーン２２３やＣＤ−Ｒ等に放映データを出力する放映データ出力処理を実行し（Ｓ２２７）、Ｓ２０１に戻る。放映データ出力処理の詳細については、図２７を参照して後述する。
【００９２】
放映データの出力指示でない場合には（Ｓ２２５：ＮＯ）、会場端末４が行なう本発明に直接関係のないその他の処理を実行し（Ｓ２２９）、Ｓ２０１に戻り、以上の処理を繰り返す。
【００９３】
次に、図２５を参照して、図２４のＳ２１５で実行する申込み受付処理の詳細について説明する。まず、電話やファックス、書類等で受け付けた申込者情報がキーボード２２６やマウス２２７の操作により入力されるのを受け付ける（Ｓ２３１）。ここで入力される申込情報は、申込者の企業名、役職名、氏名、住所、又は、会員ＩＤ等である。また、入力を容易にするために、入力フォームを生成してディスプレイ２２４に表示し、その入力フォーム上にデータ入力を受け付けるように構成してもよい。次いで、入力された申込者情報を配信データ記憶エリア２３３のレコードとして記憶する（Ｓ２３３）。記憶の際には、管理用のレコード番号が付される。
【００９４】
次に、配信先情報をキーボード２２６やマウス２２７の操作により入力受付する（Ｓ２３５）。申込者情報と同様に、入力フォームを生成してディスプレイ２２４に表示し、その入力フォーム上にデータ入力を受け付けるように構成してもよい。配信先情報としては、葬儀の日付、葬儀家名が該当する。そして、入力された配信先情報を、Ｓ２３３で記憶したレコードの対応項目に追加記憶する（Ｓ２３７）。
【００９５】
次に、映像データベース２３２から放映可能な映像の一覧を呼び出してディスプレイ２２４に表示し（Ｓ２３９）、利用者がキーボード２２６やマウス２２７の操作により映像を選択するのを受け付ける（Ｓ２４１）。ここで選択される映像は、操作者がその場で選ぶわけではなく、電話やファックス、書類等での受付時に番号などで指定されたものである。会場端末４の操作者は、指定された番号と映像のサンプルをここで確認し、選択入力を行なう。そして、選択された映像のＩＤを配信データ記憶エリア２３３のレコードに追加記憶する（Ｓ２４３）。
【００９６】
次に、メッセージのカテゴリの選択を受け付け（Ｓ２４５）、選択されたカテゴリの例文を表示し、表示された中の例文が選択されるのを受け付ける（Ｓ２４７）。例文を修正する指示があったか否かを判断し（Ｓ２４９）、修正指示があった場合には（Ｓ２４９：ＹＥＳ）、修正入力を受け付け（Ｓ２５１）、修正後のメッセージを配信データ記憶エリア２３３のレコードに追加記憶する（Ｓ２５３）。修正指示のない場合には（Ｓ２４９：ＮＯ）、選択された例文そのままのメッセージを追加記憶する（Ｓ２５３）。以上により、申込み受付処理が完了し、申し込まれた件の配信データが作成され、記憶されたので、図２４に示す会場端末４のメインルーチンに戻る。尚、ここで複数件の申込み受付処理が可能なのように、次の申込み受付処理があるか否かを問い合わせて判断し、複数件を一度に処理できるように構成してもよい。
【００９７】
次に、図２６を参照して、図２４のＳ２２３で実行する放映データ作成処理の詳細について説明する。葬儀会場には、葬儀が始まるまで待機することができる待合室に設置されたスクリーンや、式次第中の追悼メッセージ披露の際に放映できる本会場内のスクリーンなどの放映場所があるので、このような放映場所に応じた放映データの作成を行なう。
【００９８】
まず、放映対象となる配信データを配信データ記憶エリア２３３から抽出する（Ｓ２６１）。放映対象となる配信データは、葬儀家名をキーにして配信データ記憶エリア２３３からレコードを抽出すればよい。
【００９９】
次に、抽出した配信データを一覧表示する（Ｓ２６２）。次に、一覧表示されたデータに対する放映場所の入力を受け付ける（Ｓ２６３）。そして、入力された放映場所における映像メッセージの放映順序の入力を受け付ける（Ｓ２６４）。放映順序は、たとえば、追悼メッセージ披露の際の本会場のスクリーン等、放映場所によっては重要であり、操作者は、一覧表示された配信データの企業名や氏名、役職名を確認しながら、メッセージを披露する時間に放映する映像メッセージの順序を決定し、入力できる。
【０１００】
次に、放映時間の入力を受け付ける（Ｓ２６５）。放映時間は、放映場所に応じて決定される。例えば、待合室のスクリーンでは、エンドレスに映像メッセージを放映することが可能であるから、一律に３０秒等の時間を定めることができる。一方、追悼メッセージ披露用のスクリーンでは、放映順序の例えば１〜３までをそれぞれ４０秒、残りの映像メッセージは放映しない０秒などの設定にすることが考えられる（図１０参照）。
【０１０１】
次に、以上の入力により完成した放映データを放映データ記憶エリア２３４に記憶し（Ｓ２６６）、処理を終了するか否かを判断する（Ｓ２６７）。終了しない場合は（Ｓ２６７：ＮＯ）、Ｓ２６１に戻り、再び配信データを抽出して、異なる放映場所や、異なる葬儀家名への放映データの作成を行なう。放映データの作成を終了する（Ｓ２６７：ＹＥＳ）、図２４に示す会場端末４のメインルーチンに戻る。
【０１０２】
次に、図２６を参照して、図２４のＳ２２７で実行する放映データ出力処理の詳細について説明する。まず、スクリーンへの放映データ送信か否かを判断する（Ｓ２７１）。スクリーンへ放映データを送信する場合には（Ｓ２７１：ＹＥＳ）、該当の放映データを放映データ記憶エリアから葬儀家名と放映場所をキーにして抽出し読み込む（Ｓ２７３）。次に、対応する放映場所の表示装置（スクリーン２２３やディスプレイ２２４等）に放映データを送信し（Ｓ２７５）、図２４に示す会場端末４のメインルーチンに戻る。スクリーン２２３では、放映データで指定された時刻に、指定された放映順序で、指定された時間ずつの映像メッセージが、顔写真の掲載が指定されている場合には顔写真付で放映される。
【０１０３】
スクリーン２２３への放映データ送信でない場合には（Ｓ２７１：ＮＯ）、ＣＤ−Ｒ２２９に映像メッセージを記録するか否かを判断する（Ｓ２７７）。ＣＤ−Ｒへの出力でない場合には（Ｓ２７７：ＮＯ）、そのまま図２４に示す会場端末４のメインルーチンに戻る。
【０１０４】
ＣＤ−Ｒ２２９への出力の場合には（Ｓ２７７：ＹＥＳ）、対応する放映データを読み込み（Ｓ２７９）、映像メッセージをＣＤ−Ｒに記録する（Ｓ２８１）。そして、図２４に示す会場端末４のメインルーチンに戻る。記録されたＣＤ−Ｒは、葬儀の喪主等に配布して記念に残すことができる。
【０１０５】
以上説明したように、本実施形態の映像メッセージ配信システムによれば、利用者のパソコンなどの申込端末３から映像データベース３３を有する管理サーバ２に接続して映像メッセージを葬儀会場で放映するように申し込むことができ、管理サーバ２から申込をとりまとめた配信データを各会場の会場端末４に送信する。会場端末４では、管理サーバ２経由の配信データと別途に映像メッセージの申込を受け付けて入力し、管理サーバ２から送信された配信データと合わせて放映データを作成する。放映データは、会場の設備や式典の式次第に合わせて適宜調整することができ、さらに、ＣＤ−Ｒ等の記録媒体にも出力可能としたので参列者にもメッセージの申込者にも満足度の高い映像付のメッセージの配信を行なうことができる。また、申込の際や会員登録の際に顔写真データを受け付け、申込者が希望する場合には映像メッセージとともに顔写真も放映するようにすれば、メッセージの発信者が誰であるかが葬儀の参列者等にすぐに認識でき、メッセージ自体もより強く印象づけられる。
【０１０６】
尚、上記実施形態では、申込端末３、管理サーバ２、会場端末４を必須の構成とするネットワークを介したコンピュータシステムとしたが、サーバ・クライアントシステムでない単独の映像メッセージ処理装置も実施可能である。この場合には、会場端末４にメッセージの例文集を記憶させたメッセージデータベースを設け、会場端末４にて映像メッセージの申込を直接受付、電話やファックスなどによる申込と合わせて配信データを作成・記憶し、これに基づいて上記実施の形態と同様に放映データを作成してスクリーンやＣＤ−Ｒに出力すればよい。
【図面の簡単な説明】
【０１０７】
【図１】映像メッセージ配信システム１の全体概念図である。
【図２】管理サーバ２の電気的構成を示すブロック図である。
【図３】申込端末３電気的構成を示すブロック図である。
【図４】会場端末４の電気的構成を示すブロック図である。
【図５】会員データベース３２のデータ構成を示す模式図である。
【図６】映像データベース３３のデータ構成を示す模式図である。
【図７】メッセージデータベース３４のデータ構成を示す模式図である。
【図８】配信データ記憶エリア３５に記憶された配信データのデータ構成を示す模式図である。
【図９】会場端末４の配信データ記憶エリア２３３に記憶された配信データのデータ構成を示す模式図である。
【図１０】会場端末４の放映データ記憶エリア２３４に記憶された放映データのデータ構成を示す模式図である。
【図１１】映像メッセージ配信システム１の処理の概容を示す工程図である。
【図１２】管理サーバ２のメインルーチンのフローチャートである。  フローチャートである。
【図１３】図１２のＳ７で実行される配信データ作成処理の流れを示すフローチャートである。
【図１４】申込端末３における処理の流れの全体を示すメインルーチンのフローチャートである。
【図１５】図１４のＳ１０３で実行される申込者情報入力処理の流れを示すフローチャートである。
【図１６】図１４のＳ１０５で実行される配信先情報入力処理の流れを示すフローチャートである。
【図１７】図１４のＳ１０７で実行される映像選択処理の流れを示すフローチャートである。
【図１８】図１４のＳ１０９で実行されるメッセージ入力処理の流れを示すフローチャートである。
【図１９】配信先情報入力画面の例を示すイメージ図である。
【図２０】映像選択画面の例を示すイメージ図である。
【図２１】メッセージカテゴリ選択画面の例を示すイメージ図である。
【図２２】メッセージ選択画面の例を示すイメージ図である。
【図２３】メッセージ修正入力画面の例を示すイメージ図である。
【図２４】会場端末４における処理の流れの全体を示すメインルーチンのフローチャートである。
【図２５】図２４のＳ２１５で実行される申込受付処理の処理の流れを示すフローチャートである。
【図２６】図２４のＳ２２３で実行される放映データ作成処理の処理の流れを示すフローチャートである。
【図２７】図２４のＳ２２７で実行される放映データ出力処理の流れを示すフローチャートである。
【符号の説明】
【０１０８】
１      映像メッセージ配信システム
２      管理サーバ
３      申込端末
４      会場端末
８      インターネット
２０      ＣＰＵ
３０      ハードディスク装置
３３      映像データベース
３５      配信データ記憶エリア
１２０      ＣＰＵ
１２６      キーボード
１２７      マウス
１３０      ハードディスク装置
２２０      ＣＰＵ
２２３      スクリーン
２２４      ディスプレイ
２２６      キーボード
２２７      マウス
２３０      ハードディスク装置
２３２      映像データベース
２３３      配信データ記憶エリア
２３４      放映データ記憶エリア
２３８      ＣＤ−Ｒドライブ
２３９      ＣＤ−Ｒ
【図１】
2005285049.tif 000003
【図２】
2005285049.tif 000004
【図３】
2005285049.tif 000005
【図４】
2005285049.tif 000006
【図５】
2005285049.tif 000007
【図６】
2005285049.tif 000008
【図７】
2005285049.tif 000009
【図８】
2005285049.tif 000010
【図９】
2005285049.tif 000011
【図１０】
2005285049.tif 000012
【図１１】
2005285049.tif 000013
【図１２】
2005285049.tif 000014
【図１３】
2005285049.tif 000015
【図１４】
2005285049.tif 000016
【図１５】
2005285049.tif 000017
【図１６】
2005285049.tif 000018
【図１７】
2005285049.tif 000019
【図１８】
2005285049.tif 000020
【図１９】
2005285049.tif 000021
【図２１】
2005285049.tif 000022
【図２２】
2005285049.tif 000023
【図２３】
2005285049.tif 000024
【図２４】
2005285049.tif 000025
【図２５】
2005285049.tif 000026
【図２６】
2005285049.tif 000027
【図２７】
2005285049.tif 000028
【図２０】
2005285049.tif 000029